(57)【特許請求の範囲】
【請求項１】
壁面に対し板状の建材を取付けるための建材の取付金具において、
壁面に取り付けられる、該建材よりも小さい幅を有した盤体部と、
下段側の建材の上辺を係止する第１係止部と、
上段側の建材の下辺を載せて係止する第２係止部と、
該盤体部の左右両側に設けられた、該建材の側辺に当接する側爪部とを備えており、
該側爪部は該盤体部の側辺から前方に突設されており、
該盤体部にあっては、該側爪部の上下両側から２条のスリットが延設され、これらのスリットの間が舌片状となっており、これにより該側爪部が該盤体部の後方へ後退可能となっていることを特徴とする建材の取付金具。
【請求項２】
請求項１において、前記建材の側辺に当接する側爪部は、前記下段側の建材に当接するものであることを特徴とする建材の取付金具。
【請求項３】
請求項１又は２において、前記側爪部は、下段側の建材の上部側面に当接するように該盤体部の下部に設けられていることを特徴とする建材の取付金具。
【請求項４】
壁面に複数枚の板状の建材を取付金具によって取付けた建材の取付構造において、該取付金具が請求項１ないし３のいずれか１項に記載のものであることを特徴とする建材の取付構造。
【発明の詳細な説明】
【０００１】
【発明の属する技術分野】
本発明は建材の取付金具及びそれを用いて建材を壁面に取付けた構造に関するものである。詳しくは、壁面に対し複数の板状建材を上下に多段に取付ける場合に採用される取付金具と、この取付金具を用いた建材の取付構造とに関するものである。さらに詳しくは、この取付金具が建材の横ずれ防止機構を備えたものに関する。
【０００２】
【従来の技術】
板状の建材を建築物の外壁等の壁面に対し、上下に多段に且つ水平左右方向に並列させて取付施工する場合、建材の上辺及び下辺を金具で支承することが多い。この金具として、下段側の建材の上辺と上段側の建材の下辺とをそれぞれ係止する第１係止部及び第２係止部を有し、釘又はビスによって壁面に固定されるものが用いられている。
【０００３】
第３図はかかる取付金具の従来の一例（特開平８−１２０８９４号）を示す斜視図である。この取付金具（同号公報では接合金具と指称している）１は、基台２と、該基台２上に立設される幹板部４と、該幹板部４の上縁から両側に延設される枝板部５Ａ，５Ｂとからなり、該幹板部４の両側には該枝板部５Ａ，５Ｂによって建築板嵌合部６Ａ，６Ｂが形成されている。８Ａはビス穴、８Ｂは釘穴である。この嵌合部６Ａによって下段側の建築板の上辺を支承し、嵌合部６Ｂによって上段側の建築板の下辺を支承する。
【０００４】
ところで、このように板状建材（建築板）の上辺と下辺とを支承した場合、強風、地震、振動その他の外力が加えられたときに、建材が横ずれするおそれがある。この横ずれを防止するために、上記の特開平８−１２０８９４号においては、第３図の通り、基台２の側辺から前方に係止板７を突設している。この係止板７が建材の側端面に当接することにより、建材の横ずれが防止される。
【０００５】
【発明が解決しようとする課題】
上記の特開平８−１２０８９４号にあっては、建材を右側から押えるように基台２の右辺に係止板７を備えた右用建材の取付金具と、建材を左側から押えるように基台２の左辺に係止板７を備えた左用建材の取付金具と、この係止板７を有しない一般部用建材の取付金具（建材の下辺の中間位置に配置される建材の取付金具）との３種類の建材の取付金具が必要であり、在庫管理等に不便であると共に、多品種少量生産となる分だけコスト高である。また、施工時にも、左用、右用、一般用を区別して取り付ける必要があり、作業効率が悪い。
【０００６】
本発明は、このような問題点を解決し、左用、右用及び一般用のいずれにも用いることができる建材の取付金具と、それを用いた取付構造を提供することを目的とする。
【０００７】
【課題を解決するための手段】
本発明の建材の取付金具は、壁面に対し板状の建材を取付けるための建材の取付金具において、壁面に取り付けられる、該建材よりも小さい幅を有した盤体部と、下段側の建材の上辺を係止する第１係止部と、上段側の建材の下辺を載せて係止する第２係止部と、該盤体部の左右両側に設けられた、該建材の側辺に当接する側爪部とを備えており、該側爪部は該盤体部の側辺から前方に突設されており、該盤体部にあっては、該側爪部の上下両側から２条のスリットが延設され、これらのスリットの間が舌片状となっており、これにより該側爪部が該盤体部の後方へ後退可能となっていることを特徴とするものである。
【０００８】
本発明の建材の取付構造は、この取付金具を用いて板状の建材を壁面に取付けたものである。
【０００９】
かかる本発明の建材の取付金具及び取付構造にあっては、側爪部が建材の側面に当接して建材の横ずれが防止される。
【００１０】
この側爪部は、盤体部の後方に後退可能であるため、建材の裏面に該側爪部が当った場合には、該側爪部が後退する。即ち、この建材の取付金具を建材の左用又は右用に用いたときには、一方の側爪部が後退し、一般用に用いたときには、左右双方の側爪部が後退する。
【００１１】
本発明では、前記側爪部は前記盤体部の側辺から前方に突設されており、該側爪部の上下両側から２条のスリット延設され、これらのスリットの間が舌片状となっている。かかる構成であるため、側爪部が建材の裏面に当ったときに舌片部が変形し、側爪部がスムーズに後退する。
【００１２】
この舌片部を弾性的に変形可能にしておくことにより、施工時や運搬時に舌片部が無用に塑性時に曲がることが防止される。また、施工後にあっては、建材の裏面に当った側爪部が弾性舌片部によって建材の裏面に押し付けられるようになるため、建材のガタツキも防ぐような効果も期待できる。
【００１３】
【発明の実施の形態】
以下、第１，２図を参照して実施の形態に係る取付金具について説明する。第１図（ａ）は実施の形態に係る取付金具の斜視図、第１図（ｂ）は取付金具と建材との係合状態図、第２図（ａ），（ｂ），（ｃ）は取付金具の正面図、平面図、右側面図である。
【００１４】
この取付金具１０は、壁面に重なる盤体部１１と、該盤体部１１の前面から前方へ突設された略Ｙ字形の断面形状の支承部１２とを有している。盤体部１１には釘孔１３とビス孔１４とが設けられている。なお、この盤体部１１には左右方向に延在する浅い凹陥部１５が設けられ、この凹陥部１５内に該ビス孔１４が配置されている。
【００１５】
支承部１２は、前方延出部１２ａと、それぞれ該前方延出部１２ａの前端側から上下方向に延出した上方延出部１２ｂ及び下方延出部１２ｃとからなる。この上方延出部１２ｂが後述の上段側の建材３０の下辺を係止する第１係止部を構成し、下方延出部１２ｃが下段側の建材３０の上辺を係止する第２係止部を構成する。
【００１６】
この盤体部１１の左右両辺の下部（前方延出部１２ａよりも下側）に側爪部２１，２２が設けられている。側爪部２１，２２の上下両側からスリット２３，２４が盤体部１１の側辺から水平方向に延設され、スリット２３，２３間及びスリット２４，２４間が弾性変形可能な舌片部２５，２６となっている。
【００１７】
この取付金具を用いた建材３０の取付状態について第１図（ｂ）を参照して説明する。
【００１８】
なお、第１図（ｂ）では下段側の建材３０のみが図示されているが、取付金具３０の上方側に上段側の建材３０が配置される。（ただし、建材が最上段の場合を除く。）この上段側の建材３０の下縁は、上記の通り、上方延出部１２ｂによって係止される。
【００１９】
この実施の形態にあっては、下段側の建材３０の上縁に取付金具１０を係合させた後、取付金具１０のビス孔１４を通してビスを壁面４１にねじ込む。なお、建材３０を左端側から押える場合には、取付金具１０の左側の側爪部２１を建材３０の左側面に当接させる。この場合、取付金具１０の右側の側爪部２２は建材３０の裏面に当たり、舌片部２６が後方にたわむ。
【００２０】
建材３０を右端側から押える場合には、取付金具１０の右側の側爪部２２を建材３０の右側面に当接させる。この場合、取付金具１０の左側の側爪部２１は建材３０の裏面に当り、舌片部２５が後方にたわむ。
【００２１】
一般部（建材３０の左右方向の途中部分）に配置された取付金具１０にあっては、左右両側の舌片部２５，２６が後方にたわむ。
【００２２】
取付金具１０を壁面４１に固定した後、この取付金具１０の上方側に上段側の建材３０の下端を載せ、次いで該上段側の建材３０の上縁を同様に当て取付金具１０によって壁面４１に固定する。この工程を繰り返すことによりすべての建材３０の取付施工が行われる。いずれの建材３０も、側面に密着した側爪部２１，２２によって横ずれが確実に防止される。また、取付金具１０は、建材３０の左用、右用及び一般用のいずれにも用いることができ、１種類の金具で足りる。
【００２３】
【発明の効果】
以上の通り、本発明によると、建材の横ずれを長期にわたり確実に防止することができる。本発明では、同一の取付金具を建材の左右両側及び左右の途中部のいずれにも配置することができ、部品点数が少なくて済む。従って、コストダウンが実現されると共に、施工時に取付金具を選択する手間が省け、施工効率も著しく向上する。
【図面の簡単な説明】
【図１】実施の形態に係る取付金具及び建材取付構造の斜視図である。
【図２】取付金具の正面図、平面図及び右側面図である。
【図３】従来の取付金具の斜視図である。
【符号の説明】
１０  取付金具
１１  盤体部
１２  支承部
１２ａ  前方延出部
１２ｂ  上方延出部
１２ｃ  下方延出部
１３  釘孔
１４  ビス孔
１５  凹条部
２１，２２  側爪部
２３，２４  スリット
２５，２６  舌片部
３０  建材
４１  壁面
【図１】
0003736290.tif 000002
【図２】
0003736290.tif 000003
【図３】
0003736290.tif 000004